(57)【特許請求の範囲】
【請求項１】
首を通す首穴部を有した接続部を介して前身ごろと後身ごろとが連結されると共に、浮力材を内在した本体と、
正面視、前記前身ごろの左上部裏面と前記後身ごろの左上部裏面に取り付けられ、右腕を通す左調整紐と、
この左調整紐の絞りを固定する左ストッパーと、
正面視、前記前身ごろの右上部裏面と前記後身ごろの右上部裏面に取り付けられ、左腕を通す右調整紐と、
この右調整紐の絞りを固定する右ストッパーとを備え、
前記本体の左右の横腹部が分離し、
前記前身ごろの底部と前記後身ごろの底部が分離し、前記本体の底部が頭、左右の手の挿脱口を形成し、
前記左調整紐は、正面視、前記前身ごろの左上部裏面に設けた左第１の通路と前記後身ごろの左上部裏面に設けた左第２の通路を通り、前記左第１の通路から露出し、自由端に至る前記左調整紐の部位は左第１の部位であり、前記左第２の通路から露出し、自由端に至る前記左調整紐の部位は左第２の部位であり、前記左第１の部位と前記左第２の通路に跨って左ストッパーが取り付けられ、
前記右調整紐は、正面視、前記前身ごろの右上部裏面に設けた右第１の通路と前記後身ごろの右上部裏面に設けた右第２の通路を通り、前記右第１の通路から露出し、自由端に至る前記右調整紐の部位は右第１の部位であり、前記右第２の通路から露出し、自由端に至る前記右調整紐の部位は右第２の部位であり、前記右第１の部位と前記右第２の通路に跨って右ストッパーが取り付けられ、
前記左調整紐の左第１の通路から露出し前記左ストッパーに至る部位、前記左調整紐の左第２の通路から露出し前記左ストッパーに至る部位、前記前身ごろの左上部裏面、前記後身ごろの左上部裏面で囲まれた空間に右腕が、前記右調整紐の右第１の通路から露出し前記右ストッパーに至る部位、前記右調整紐の右第２の通路から露出し前記右ストッパーに至る部位、前身ごろの右上部裏面、後身ごろの右上部裏面で囲まれた空間に左腕が、それぞれ入る構成とした
ことを特徴とするライフジャケット。
【請求項２】
首を通す首穴部を有した接続部を介して前身ごろと後身ごろとが連結されると共に、浮力材を内在した本体と、
正面視、前記前身ごろの左部と前記後身ごろの左部との離間距離を調節する左側調節ベルトと、
正面視、前記前身ごろの右部と前記後身ごろの右部との離間距離を調節する右側調節ベルトと、
正面視、前記前身ごろの左上部裏面と前記後身ごろの左上部裏面に取り付けられ、右腕を通す左調整紐と、
この左調整紐の絞りを固定する左ストッパーと、
正面視、前記前身ごろの右上部裏面と前記後身ごろの右上部裏面に取り付けられ、左腕を通す右調整紐と、
この右調整紐の絞りを固定する右ストッパーとを備え、
前記本体の左右の横腹部が分離し、
前記前身ごろの底部と前記後身ごろの底部が分離し、前記本体の底部が頭、左右の手の挿脱口を形成し、
前記左調整紐は、正面視、前記前身ごろの左上部裏面に設けた左第１の通路と前記後身ごろの左上部裏面に設けた左第２の通路を通り、前記左第１の通路から露出し、自由端に至る前記左調整紐の部位は左第１の部位であり、前記左第２の通路から露出し、自由端に至る前記左調整紐の部位は左第２の部位であり、前記左第１の部位と前記左第２の通路に跨って左ストッパーが取り付けられ、
前記右調整紐は、正面視、前記前身ごろの右上部裏面に設けた右第１の通路と前記後身ごろの右上部裏面に設けた右第２の通路を通り、前記右第１の通路から露出し、自由端に至る前記右調整紐の部位は右第１の部位であり、前記右第２の通路から露出し、自由端に至る前記右調整紐の部位は右第２の部位であり、前記右第１の部位と前記右第２の通路に跨って右ストッパーが取り付けられ、
前記左調整紐の左第１の通路から露出し前記左ストッパーに至る部位、前記左調整紐の左第２の通路から露出し前記左ストッパーに至る部位、前記前身ごろの左上部裏面、前記後身ごろの左上部裏面で囲まれた空間に右腕が、前記右調整紐の右第１の通路から露出し前記右ストッパーに至る部位、前記右調整紐の右第２の通路から露出し前記右ストッパーに至る部位、前身ごろの右上部裏面、後身ごろの右上部裏面で囲まれた空間に左腕が、それぞれ入る構成とした
ことを特徴とするライフジャケット。
【発明の詳細な説明】
【技術分野】
【０００１】
本発明は、ライフジャケットに係り、特に、装着し易いと共に、脱げにくいライフジャケットに関する。
【背景技術】
【０００２】
従来、ライフジャケットとして、左右一対の前身ごろをファスナーによって開閉し、前身ごろの右部と後身ごろを接続する環状の第１の止め紐、前身ごろの左部と後身ごろを接続する環状の第２の止め紐を備えたものがある（例えば、特許文献参照）。
【先行技術文献】
【特許文献】
【０００３】
【特許文献１】実開平４−３９９８９号公報  第１図
【発明の概要】
【発明が解決しようとする課題】
【０００４】
上記ライフジャケットにあっては、装着する場合、第１の止め紐に右足を、第２の止め紐に左足を、それぞれ入れ、その後、ファスナーによって左右一対の前身ごろを閉じるようにしている。
ところが、災害時、上記のように、環状の第１の止め紐に右足を、環状の第２の止め紐に左足を、それぞれ入れ、その後、ファスナーによって左右一対の前身ごろを閉じるようにして装着したのでは、急な災害、例えば、津波にあっては、時間がかかってしまうという問題点があった。
【０００５】
本発明は、上記の問題点を除去するようにしたライフジャケットを提供することを目的とする。
【課題を解決するための手段】
【０００６】
請求項１記載のライフジャケットは、首を通す首穴部を有した接続部を介して前身ごろと後身ごろとが連結されると共に、浮力材を内在した本体と、正面視、前記前身ごろの左上部裏面と前記後身ごろの左上部裏面に取り付けられ、右腕を通す左調整紐と、この左調整紐の絞りを固定する左ストッパーと、正面視、前記前身ごろの右上部裏面と前記後身ごろの右上部裏面に取り付けられ、左腕を通す右調整紐と、この右調整紐の絞りを固定する右ストッパーとを備え、前記本体の左右の横腹部が分離し、前記前身ごろの底部と前記後身ごろの底部が分離し、前記本体の底部が頭、左右の手の挿脱口を形成し、前記左調整紐は、正面視、前記前身ごろの左上部裏面に設けた左第１の通路と前記後身ごろの左上部裏面に設けた左第２の通路を通り、前記左第１の通路から露出し、自由端に至る前記左調整紐の部位は左第１の部位であり、前記左第２の通路から露出し、自由端に至る前記左調整紐の部位は左第２の部位であり、前記左第１の部位と前記左第２の通路に跨って左ストッパーが取り付けられ、前記右調整紐は、正面視、前記前身ごろの右上部裏面に設けた右第１の通路と前記後身ごろの右上部裏面に設けた右第２の通路を通り、前記右第１の通路から露出し、自由端に至る前記右調整紐の部位は右第１の部位であり、前記右第２の通路から露出し、自由端に至る前記右調整紐の部位は右第２の部位であり、前記右第１の部位と前記右第２の通路に跨って右ストッパーが取り付けられ、前記左調整紐の左第１の通路から露出し前記左ストッパーに至る部位、前記左調整紐の左第２の通路から露出し前記左ストッパーに至る部位、前記前身ごろの左上部裏面、前記後身ごろの左上部裏面で囲まれた空間に右腕が、前記右調整紐の右第１の通路から露出し前記右ストッパーに至る部位、前記右調整紐の右第２の通路から露出し前記右ストッパーに至る部位、前身ごろの右上部裏面、後身ごろの右上部裏面で囲まれた空間に左腕が、それぞれ入る構成としたものである。
【０００７】
また、請求項２記載のライフジャケットは、首を通す首穴部を有した接続部を介して前身ごろと後身ごろとが連結されると共に、浮力材を内在した本体と、正面視、前記前身ごろの左部と前記後身ごろの左部との離間距離を調節する左側調節ベルトと、正面視、前記前身ごろの右部と前記後身ごろの右部との離間距離を調節する右側調節ベルトと、正面視、前記前身ごろの左上部裏面と前記後身ごろの左上部裏面に取り付けられ、右腕を通す左調整紐と、この左調整紐の絞りを固定する左ストッパーと、正面視、前記前身ごろの右上部裏面と前記後身ごろの右上部裏面に取り付けられ、左腕を通す右調整紐と、この右調整紐の絞りを固定する右ストッパーとを備え、前記本体の左右の横腹部が分離し、前記前身ごろの底部と前記後身ごろの底部が分離し、前記本体の底部が頭、左右の手の挿脱口を形成し、前記左調整紐は、正面視、前記前身ごろの左上部裏面に設けた左第１の通路と前記後身ごろの左上部裏面に設けた左第２の通路を通り、前記左第１の通路から露出し、自由端に至る前記左調整紐の部位は左第１の部位であり、前記左第２の通路から露出し、自由端に至る前記左調整紐の部位は左第２の部位であり、前記左第１の部位と前記左第２の通路に跨って左ストッパーが取り付けられ、前記右調整紐は、正面視、前記前身ごろの右上部裏面に設けた右第１の通路と前記後身ごろの右上部裏面に設けた右第２の通路を通り、前記右第１の通路から露出し、自由端に至る前記右調整紐の部位は右第１の部位であり、前記右第２の通路から露出し、自由端に至る前記右調整紐の部位は右第２の部位であり、前記右第１の部位と前記右第２の通路に跨って右ストッパーが取り付けられ、前記左調整紐の左第１の通路から露出し前記左ストッパーに至る部位、前記左調整紐の左第２の通路から露出し前記左ストッパーに至る部位、前記前身ごろの左上部裏面、前記後身ごろの左上部裏面で囲まれた空間に右腕が、前記右調整紐の右第１の通路から露出し前記右ストッパーに至る部位、前記右調整紐の右第２の通路から露出し前記右ストッパーに至る部位、前身ごろの右上部裏面、後身ごろの右上部裏面で囲まれた空間に左腕が、それぞれ入る構成としたものである。
【発明の効果】
【００１８】
請求項１記載のライフジャケットによれば、首を通す首穴部を有した接続部を介して前身ごろと後身ごろが連結される本体を備え、前身ごろの底部と後身ごろの底部が分離し、本体の左右の横腹部が分離し、前記本体の底部が頭、左右の手の挿脱口を形成している
ため、本体の底部の挿脱口から頭、左右の手を入れて、頭を首穴部に、右腕を左調整紐に、左腕を右調整紐に、それぞれ通し、左ストッパーにより左調整紐の絞りを、右ストッパーにより右調整紐の絞りを、それぞれ固定するだけで、ライフジャケットを簡易且つ迅速に装着することができ、また、左調整紐の絞り及び右調整紐の絞りにより装着したライフジャケットが脱げにくく、しかも、本体の左右の横腹部が分離しているため、装着される人の肥満度、大きさに柔軟に対応してライフジャケットを装着することができる。
【００１９】
また、請求項２記載のライフジャケットによれば、首を通す首穴部を有した接続部を介して前身ごろと後身ごろが連結される本体を備え、前身ごろの底部と後身ごろの底部が分離し、本体の左右の横腹部が分離し、前記本体の底部が頭、左右の手の挿脱口を形成しているため、本体の底部の挿脱口から頭、左右の手を入れて、頭を首穴部に、左腕を右調整紐に、右腕を左調整紐に、それぞれ通し、左ストッパーにより左調整紐の絞りを、右ストッパーにより右調整紐の絞りを、それぞれ固定するだけで、ライフジャケットを簡易且つ迅速に装着することができ、また、左調整紐の絞り及び右調整紐の絞りにより装着したライフジャケットが脱げにくく、しかも、本体の左右の横腹部が分離していると共に、前身ごろと後身ごろを左右の調節ベルトて調節するため、装着される人の肥満度、大きさに柔軟に対応してライフジャケットを体に密着して取り付けることができ、その分、脱げにくくすることができる。
【図面の簡単な説明】
【００２９】
【図１】図１は、本発明の一実施例のライフジャケットの概略的正面図である。
【図２】図２は、図１のライフジャケットの概略的右側面図である。
【図３】図３は、図１のライフジャケットの概略的左側面図である。
【図４】図４は、図１のライフジャケットの概略的背面図である。
【図５】図５は、図１のライフジャケットを装着した状態の概略的斜視図である。
【図６】図６は、図１のライフジャケットの左右調節ベルトを連結する前の概略的図である。
【図７】図７は、図６のライフジャケットの左右調節ベルトを連結した状態の概略的図である。
【図８】図８は、図１のライフジャケットの使用状態の概略的断面図である。
【図９】図９は、図１のライフジャケットの使用状態の概略的右側面図である。
【図１０】図１０は、図９の一部の概略的斜視図である。
【図１１】図１１は、図１０の概略的断面図である。
【図１２】図１２は、図１１の押し釦の押圧した状態の概略的断面図である。
【図１３】図１３は、図１のライフジャケットを椅子に装着した状態の概略的右側面図である。
【図１４】図１４は、図１のライフジャケットと異なる他の実施例のライフジャケットを装着した状態の概略的斜視図である。
【図１５】図１５は、図１のライフジャケットを身体に装着する前の概略的右側面図である。
【図１６】図１６は、図１のライフジャケットを身体に装着する前の概略的左側面図である。
【図１７】図１７は、図１４のライフジャケットの左右調節ベルトを連結する前の概略的図である。
【図１８】図１８は、図１４のライフジャケットの左右調節ベルトを連結した状態の概略的図である。
【図１９】図１９は、図１４のライフジャケットの使用状態の概略的断面図である。
【図２０】図２０は、図１５のライフジャケットの腰紐の締め付け前を下方斜めから見た概略的斜視図である。
【図２１】図２１は、図２０のライフジャケットと異なる他の実施例の概略的斜視図である。
【図２２】図２２は、図１５の他の実施例の概略的右側面図である。
【図２３】図２３は、図１６の他の実施例の概略的右側面図である。
【図２４】図２４は、図１４のライフジャケットと異なる他の実施例のライフジャケットの概略的正面図である。
【図２５】図２５は、図２４のライフジャケットに浮力材を収納する状態を下方斜めから見た概略的斜視図である。
【図２６】図２６は、図２４のライフジャケットに浮力材を収納する状態を示す概略的断面図である。
【図２７】図２７は、図２４のライフジャケットに浮力材を収納した状態を示す概略的断面図である。
【図２８】図２８は、図２４のライフジャケットを車のシートに装着する前の状態を示す概略的斜視図である。
【図２９】図２９は、図２８のライフジャケットを車のシートに装着した状態を示す概略的斜視図である。
【発明を実施するための形態】
【００３０】
本発明の一実施例のライフジャケットを図面を参照して説明する。
図１に示すＬはライフジャケットで、ライフジャケットＬは、首を通す首穴部１ａを有した接続部１０を介して前身ごろ１１と後身ごろ１２とが連結されると共に、浮力材１３を内在した本体１を有している。
【００３１】
２は正面視、左に位置する左調整紐で、左調整紐２は、正面視、前身ごろ１１の左上部裏面と後身ごろ１２の左上部裏面に取り付けられ、右腕を通すものである。この左調整紐２の絞りは左ストッパー３で固定される。左調整紐２は、例えば、１本の紐を前身ごろ１１の左上部裏面に設けた通路１１Ａと後身ごろ１２の左上部裏面に設けた通路１２Ａにそれぞれ通して、紐の自由端に近い部位に左ストッパー３を取り付けている。
更に、具体的に言えば、左調整紐２は、例えば、図１及び図３に示すように、正面視、前身ごろ１１の左上部裏面に設けた左第１の通路１１Ａと後身ごろ１２の左上部裏面に設けた左第２の通路１２Ａを通り、左第１の通路１１Ａから露出し、自由端２Ａに至る左調整紐２の部位は左第１の部位２Ｂであり、左第２の通路１２Ａから露出し、自由端２Ｃに至る左調整紐２の部位は左第２の部位２Ｄであり、左第１の部位２Ｂと左第２の部位２Ｄに跨って左ストッパー３が取り付けられている。
左ストッパー３は、例えば、図１０乃至図１２に示すように、弾性部材３１によりストッパー体３２を持ち上げるように付勢力を与えると共に、押し釦３３の爪３３ａとストッパー体３２との間に位置した左調整紐２を係止させるようにしている（図１１参照）。
また、係止状態を解くには、図１２に示すように、押し釦３３を矢印方向に押せば、弾性部材３１の付勢力に抗して押し釦３３の爪３３ａとストッパー体３２との間隔が広がって、左調整紐２の移動を許容して行うことができる。
そして、左調整紐２の左第１の通路１１Ａから露出し左ストッパー３に至る部位、左調整紐２の左第２の通路１２Ａから露出し左ストッパー３に至る部位、前身ごろ１１の左上部裏面、後身ごろ１２の左上部裏面で囲まれた空間２Ｘ（図３）に右腕が入る構成となっている。
【００３２】
２’は正面視、右に位置する右調整紐で、右調整紐２’は、左調整紐２と同様に、正面視、前身ごろ１１の右上部裏面と後身ごろ１２の右上部裏面に取り付けられ、左腕を通すものである。この右調整紐２’の絞りは右ストッパー３’で固定される。右調整紐２’は、例えば、１本の紐を前身ごろ１１の右上部裏面に設けた通路１１’Ａと後身ごろ１２の右上部裏面に設けた通路１２’Ａにそれぞれ通して、紐の自由端に近い部位に右ストッパー３’を取り付けている。
更に、具体的に言えば、右調整紐２’は、例えば、図１及び図２に示すように、正面視、前身ごろ１１の右上部裏面に設けた右第１の通路１１’Ａと後身ごろ１２の右上部裏面に設けた右第２の通路１２’Ａを通り、右第１の通路１１’Ａから露出し、自由端２’Ａに至る右調整紐２’の部位は右第１の部位２’Ｂであり、右第２の通路１２’Ａから露出し、自由端２’Ｃに至る右調整紐２’の部位は右第２の部位２’Ｄであり、右第１の部位２’Ｂと右第２の部位２’Ｄに跨って右ストッパー３’が取り付けられている。
右ストッパー３’は、左ストッパー３と同様に、例えば、図１０乃至図１２に示すように、弾性部材３１’によりストッパー体３２’を持ち上げるように付勢力を与えると共に、押し釦３３’の爪３３’ａとストッパー体３２’との間に位置した右調整紐２’の紐を係止させるようにしている（図１１参照）。
係止状態を解くには、図１２に示すように、押し釦３３’を矢印方向に押せば、弾性部材３１’の付勢力に抗して押し釦３３’の爪３３’ａとストッパー体３２’との間隔が広がって、右調整紐２’の移動を許容して行うことができる。
そして、右調整紐２’の右第１の通路１１’Ａから露出し右ストッパー３’に至る部位、右調整紐２’の右第２の通路１２’Ａから露出し右ストッパー３’に至る部位、前身ごろ１１の左上部裏面、後身ごろ１２の右上部裏面で囲まれた空間２’Ｘ（図２）に左腕が入る構成となっている。
なお、本体１の左右の横腹部は、図２、図３、図５及び図９に示すように、分離している。また、前身ごろ１１の底部と後身ごろ２の底部が分離している。そのため、本体１の底部が頭、左右の手の挿脱口１Ｘ（図２及び図３参照）を形成していることとなる。
【００３３】
従って、上述したライフジャケットＬによれば、首を通す首穴部１ａを有した接続部１０を介して前身ごろ１１と後身ごろ１２が連結される本体１を備え、前身ごろ１１の底部と後身ごろ１２の底部が分離し、本体１の左右の横腹部が分離し、本体１の底部が頭、左右の手の挿脱口１Ｘを形成しているため、本体１の底部の挿脱口１Ｘ（図２及び図３参照）から頭、左右の手を入れて、頭を首穴部１ａに、左腕を右調整紐２’に、右腕を左調整紐２に、それぞれ通し、左ストッパー３により左調整紐２の絞りを、右ストッパー３’により右調整紐２’の絞りを、それぞれ固定するだけで、ライフジャケットＬを簡易且つ迅速に装着することができ、また、左調整紐２の絞り及び右調整紐２’の絞りにより装着したライフジャケットＬが脱げにくく、しかも、本体１の左右の横腹部が分離しているため、装着される人の肥満度、大きさに柔軟に対応してライフジャケットＬを装着することができる。
【００３４】
また、図１に示す５は正面視、左に位置する左側調節ベルトで、左側調節ベルト５は、正面視、前身ごろ１１の左部１１ａと後身ごろ１２の左部１２ａ（図４参照）との離間距離を調節するものである。
更に、具体的に言えば、図５に示すように、左側調節ベルト５は、左部ベルト５Ａ、左部ベルト調節部５Ｂを有し、左部ベルト５Ａは、一端を後身ごろ１２に、中途を前身ごろ１１の正面視左部に、それぞれ取り付けられ、他端を自由端５Ａ１としたものである。
左部ベルト調節部５Ｂは、左部ベルト５Ａの前身ごろ１１の正面視左部に取り付けられた部位Ａと左部調節ベルト５の自由端５Ａ１との間に設けられたベルト長さを調節するものである。
また、５Ｂ１は左部ベルト調節部５Ｂに設けられた連結差し込み部である。
【００３５】
また、図５に示す５’は正面視、右に位置する右側調節ベルトで、右側調節ベルト５’は、正面視、前身ごろ１１の右部１１ｂと後身ごろ１２の右部１２ｂ（図４参照）との離間距離を調節するものである。
更に、具体的に言えば、右側調節ベルト５’は、右部ベルト５’Ａ、右部ベルト調節部５’Ｂを有し、右部ベルト５’Ａは、一端を後身ごろ１２に、中途を前身ごろ１１の正面視右部に、それぞれ取り付けられ、他端を自由端５’Ａ１としたものである。
右部ベルト調節部５’Ｂは、右部ベルト５’Ａの前身ごろ１１の正面視右部に取り付けられた部位Ａ’と右部調節ベルト５’の自由端５’Ａ１との間に設けられたベルト長さを調節するものである。
また、５’Ｂ１は右部ベルト調節部５’Ｂに設けられた連結差し込み部５Ｂ１に連結する連結受け部である。
【００３６】
従って、図６及び図７に示すように、左部ベルト調節部５Ｂの連結差し込み部５Ｂ１に右部ベルト調節部５’Ｂの連結受け部５’Ｂ１を連結して、左部ベルト５Ａ及び右部ベルト５’Ａを引っ張れば、ライフジャケットＬを体に簡易且つ迅速に密着させることができる。また、本体１の左右の横腹部が分離（図２及び図３参照）していると共に、前身ごろ１１と後身ごろ１２を左右の調節ベルト５Ｂ、５’Ｂて調節するため、装着される人の肥満度、大きさに柔軟に対応してライフジャケットＬを体に密着して取り付けることができ、その分、脱げにくくすることができる。
なお、本実施例においては、左部ベルト調節部５Ｂに連結差し込み部５Ｂ１を、右部ベルト調節部５’Ｂに連結差し込み部５Ｂ１に連結する連結受け部５’Ｂ１を、それぞれ設けるようにしたが、本願発明にあっては、これに限らず、図示しないが、逆の構成、つまり、右部ベルト調節部に連結差し込み部を、左部ベルト調節部に連結差し込み部に連結する連結受け部をそれぞれ設けるようにしても良い。
【００３７】
また、図８に示す５Ｃは第１の左面状ファスナーで、第１の左面状ファスナー５Ｃは、左部ベルト５Ａの裏面に設けられている。
また、５Ｄは第２の左面状ファスナーで、第２の左面状ファスナー５Ｄは、正面視、前身ごろ１１左部に位置する左部ベルト５Ａの表面に設けられ、第１の左面状ファスナー５Ｃに係止するものである。
また、５’Ｃは第１の右面状ファスナーで、第１の右面状ファスナー５’Ｃは、右部ベルト５’Ａの裏面に設けられている。
また、５’Ｄは第２の右面状ファスナーで、第２の右面状ファスナー５’Ｄは、正面視、前身ごろ１１右部に位置する右部ベルト５’Ａの表面に設けられ、第１の右面状ファスナー５’Ｃに係止するものである。
【００３８】
従って、図８の状態から、第１の左面状ファスナー５Ｃを第２の左面状ファスナー５Ｄに、第１の右面状ファスナー５’Ｃを第２の右面状ファスナー５’Ｄに、それぞれ係止させれば、左部ベルト５Ａ及び右部ベルト５’Ａがたれ落ちるのを防止すると共に、左部ベルト５Ａ及び右部ベルト５’Ａの緩みをも防ぐことができる。
【００３９】
また、図１３に示すように、椅子１００の背もたれ１０１に前身ごろ１１の底部と後身ごろ１２の底部が分離している本体１０の底部からライフジャケットＬを通して、ライフジャケットＬを椅子１００に装着することができる。そのため、災害時、椅子１００からライフジャケットＬを外して、ライフジャケットＬを迅速且つ容易に装着することができる。
なお、ライフジャケットＬを身につける対象は、児童に限らず、大人でも良く、椅子１００は、例えば、学校、家、会社、車等で使用される椅子である。
また、ライフジャケットＬの裏面側にアルミ箔シート等の断熱材を取り付けて、保温効果を高めるようにしても良い。
【００４０】
次に述べる図１４乃至図２０記載の実施例は、上述の実施例と、
１、左調整紐２が通る左第１の通路１１Ａと左第２の通路１２Ａとが分離せず、１個の    左通路ＰＬとなっている点（図１６参照）、
右調整紐２’が通る右第１の通路１１’Ａ と右第２の通路１２’Ａとが分離せず    、１個の右通路ＰＲとなっている点（図１５参照）、
２、図１７乃至図１９に示すように、左側調節ベルト５’の先端に手の指が入るリング    状の左側リング状部材５’Ｒが、右側調節ベルト５の先端に手の指が入るリング状の    右側リング状部材５Ｒがそれぞれ取り付けられている点、
その結果、左側リング状部材５’Ｒに、例えば、左の手の指を、右側リング状部材    ５Ｒに、例えば、右の手の指を、それぞれ入れて、引っ張れば、容易に左側調節ベル    ト５’と右側調節ベルト５とを身体に容易に密着させることができる。
３、ライフジャケットＬが身体から離脱しないように、左腕を右調整紐２’に、右腕を      左調整紐２に、それぞれ通し、左ストッパー３により左調整紐２の絞りを、右スト      ッパー３’により右調整紐２’の絞りを、それぞれ固定すること、左部ベルト調節      部５Ｂの連結差し込み部５Ｂ１に右部ベルト調節部５’Ｂの連結受け部５’Ｂ１を      連結して、左側調節ベルト５’及び右側調節ベルト５を引っ張ること（上述の実施      例の図１乃至図１３参照）に加え、腰紐２００（図１４、図１５、図１６、図２０      、図２１参照）で締めつける点で異なる。
なお、以下に述べる実施例においては、上述の実施例（図１乃至図１３）と同一部分に同一符号を付して説明の一部を省略する。
【００４１】
即ち、図２０に示す２００Ｆは前身ごろ下端側通路で、前身ごろ下端側通路２００Ｆ  は、前身ごろ１１の下端に設けられ、前身ごろ１１の下端の一方側１１Ｘから前身ごろ  １１の下端の他方側Ｙに至り、腰紐２００の移動を許容する通路である。
また、２００Ｂは後身ごろ下端側通路で、後身ごろ下端側通路２００Ｂは、後身ごろ１２の下端に設けられ、後身ごろ１２の下端の一方側１２Ｘから後身ごろ１２の下端の他方側１２Ｙに至るに至り、腰紐２００の移動を許容する通路である。
そして、上述した腰紐２００は、前身ごろ下端側通路２００Ｆ内と後身ごろ下端側通路２００Ｂ内に摺動自在に取り付けられている。                                        この腰紐２００は、正面視、後身ごろ下端側通路２００Ｂの左端１２Ｘから後身ごろ下端側通路２００Ｂを通り後身ごろ下端側通路２００Ｂの右端１２Ｙへ、該後身ごろ下端側通路２００Ｂの右端１２Ｙから前身ごろ下端側通路２００Ｆの右端１１Ｙを介して前身ごろ下端側通路２００Ｆへ、該前身ごろ下端側通路２００Ｆの右端１１Ｙから前身ごろ下端側通路２００Ｆを通り前身ごろ下端側通路２００Ｆの左端１１Ｘへ、該前身ごろ下端側通路２００Ｆの左端１１Ｘから後身ごろ下端側通路２００Ｂの左端１２Ｘを介して後身ごろ下端側通路２００Ｂへ、該後身ごろ下端側通路２００Ｂの左端１２Ｘから後身ごろ下端側通路２００Ｂを通り後身ごろ下端側通路２００Ｂの右端１２Ｙへ、至ると共に、正面視、腰紐２００の一方端が後身ごろ下端側通路２００Ｂの左端１２Ｘから、腰紐２００の他方端が後身ごろ下端側通路２００Ｂの右端１２Ｙから、それぞれ飛び出している。
腰紐２００の一方端２００Ｒ、腰紐２００の他方端２００Ｒ’は、それぞれ折り返されて手の指が入る程度のループ状の大きさに形成されている。
従って、 腰紐２００を締め付け、締め付け状態を図１４に示すように結ぶことにより保持し、つまり、締めつける分、身体より装着したライフジャケットＬが離脱しにくくなる。
【００４２】
なお、本願発明の腰紐２００の前身ごろ下端側通路２００Ｆ、後身ごろ下端側通路２００Ｂへの経路は、図２０記載に限らず、例えば、図２１記載のものでも良い。
即ち、腰紐２００は、正面視、前身ごろ下端側通路２００Ｆの左端１１Ｘから前身ごろ下端側通路２００Ｆを通り前身ごろ下端側通路２００Ｆの右端１１Ｙへ、該前身ごろ下端側通路２００Ｆの右端１１Ｙから後身ごろ下端側通路２００Ｂの右端１２Ｙを介して後身ごろ下端側通路２００Ｂへ、該後身ごろ下端側通路２００Ｂの右端１２Ｙから後身ごろ下端側通路２００Ｂを通り後身ごろ下端側通路２００Ｂの左端１２Ｘへ、該後身ごろ下端側通路２００Ｂの左端１２Ｘから前身ごろ下端側通路２００Ｆの左端１１Ｘを介して前身ごろ下端側通路２００Ｆへ、該前身ごろ下端側通路２００Ｆの左端１１Ｘから前身ごろ下端側通路２００Ｆを通り前身ごろ下端側通路２００Ｆの右端１１Ｙへ、至ると共に、正面視、腰紐２００の一方端が前身ごろ下端側通路２００Ｆの左端１１Ｘから、腰紐２００の他方端が前身ごろ下端側通路２００Ｆの右端１１Ｙから、それぞれ飛び出している（図２１参照）。
腰紐２００の一方端２００Ｒ、腰紐２００の他方端２００Ｒ’は、上述の実施例と同様、それぞれ折り返されて手の指が入る程度のループ状の大きさに形成されている。
従って、 腰紐２００を締め付け、締め付け状態を図１４に示すように結ぶことにより保持し、つまり、締めつける分、身体より装着したライフジャケットＬが離脱しにくくなる。
【００４３】
なお、上述の実施例の図１５に示す右通路ＰＲの２個の開放端の内、左に位置する右通路ＰＲの開放端に接続した通路ＰＲＥで右調整紐２’を覆うようにしても良い（図２２参照）。通路ＰＲＥの一端Ｙ’は左に位置する右通路ＰＲの開放端に、通路ＰＲＥの他端は後身ごろ１２に、それぞれ接続され、Ｙは通路ＰＲＥの他端と後身ごろ１２との接続部位を示している。
また、上述の実施例の図１６に示す左通路ＰＬの２個の開放端の内、右に位置する左通路ＰＬの開放端に接続した通路ＰＬＥで左調整紐２を覆うようにしても良い（図２３参照）。通路ＰＬＥの一端Ｘ’は右に位置する左通路ＰＬの開放端に、通路ＰＲＥの他端は後身ごろ１２に、それぞれ接続され、Ｘは通路ＰＬＥの他端と後身ごろ１２との接続部位を示している。
【００４４】
次に述べる図２４乃至図２９記載の実施例は、上述の実施例と、
１、本体１に開閉部１１ｃ、１２ｃを設け（図２４乃至図２７参照）、開閉部１１ｃ、    １２ｃを介して浮力材１３を出し入れ自在に収納することができること、
２、首穴部１ａの縁部に臨む切り込み１ａ１、１ａ２を設け（図２８及図２９参照）、    この切り込み１ａ１（切り込み１ａ２）の一方側と他方側とを連結手段ファスナーＲ    ３（ファスナーＲ４）により連結又は非連結とすることができる点で異なる。
なお、以下に述べる実施例においては、上述の実施例（図１乃至図２３）と同一部分に同一符号を付して説明の一部を省略する。
。
【００４５】
即ち、本体１に設けられる開閉部は、例えば、前身ごろ１１の下端部に設けられた開閉部１１ｃ、後身ごろ１２の下端部に設けられた開閉部１２ｃであり、開閉部１１ｃ（１２ｃ）の一方側と他方側とは、連結手段、例えば、ファスナーＲ１（ファスナーＲ２）により連結又は非連結とされるようになっている（図２４乃至図２７参照）。
そのため、ライフジャケットＬを、例えば、訓練で使用して濡らした場合、開閉部１１ｃ、１２ｃを介して浮力材１３、１３を本体１から取り出して、浮力材１３、１３を乾燥するのみならず、開閉部１１ｃ、１２ｃを開として本体１内をも乾燥させることができ、しかも、ライフジャケットＬを子供が使用する場合、子供の成長に伴い、開閉部１１ｃ、１２ｃを介して浮力材１３、１３を本体１内に入れて対応することもできる。
なお、連結手段Ｒ１、Ｒ２は、ファスナーに限らず、周知の面ファスナー、ボタンとボタンホール等を使用することができる。
【００４６】
また、首穴部１ａの縁部に臨む切り込み１ａ１、１ａ２を設け、この切り込み１ａ１（切り込み１ａ２）の一方側と他方側とを連結手段、例えば、ファスナーＲ３（ファスナーＲ４）により連結又は非連結とされるようになっている。
そのため、ライフジャケットＬを車のシートＳに装着する場合、首穴部１ａが小さい場合、首穴部１ａの縁部に臨む切り込みの一方側と他方側とを連結手段１ａ１（切り込み１ａ２）により、非連結として、図２８に示すように、首穴部１ａを大きくしてライフジャケットＬを車のシートＳに装着することができる（図２８及図２９参照）。
なお、連結手段Ｒ３、Ｒ４は、ファスナーに限らず、周知の面ファスナー、ボタンとボタンホール等を使用することができる。
【符号の説明】
【００４７】
Ｌ      ライフジャケット
１      本体
１ａ    首穴部
２      左調整紐
２’    右調整紐
３      左ストッパー
３’    右ストッパー
１０    接続部
１１    前身ごろ
１２    後身ごろ
【図１】
0005848990.tif 000002
【図２】
0005848990.tif 000003
【図３】
0005848990.tif 000004
【図４】
0005848990.tif 000005
【図５】
0005848990.tif 000006
【図６】
0005848990.tif 000007
【図７】
0005848990.tif 000008
【図８】
0005848990.tif 000009
【図９】
0005848990.tif 000010
【図１０】
0005848990.tif 000011
【図１１】
0005848990.tif 000012
【図１２】
0005848990.tif 000013
【図１３】
0005848990.tif 000014
【図１４】
0005848990.tif 000015
【図１５】
0005848990.tif 000016
【図１６】
0005848990.tif 000017
【図１７】
0005848990.tif 000018
【図１８】
0005848990.tif 000019
【図１９】
0005848990.tif 000020
【図２０】
0005848990.tif 000021
【図２１】
0005848990.tif 000022
【図２２】
0005848990.tif 000023
【図２３】
0005848990.tif 000024
【図２４】
0005848990.tif 000025
【図２５】
0005848990.tif 000026
【図２６】
0005848990.tif 000027
【図２７】
0005848990.tif 000028
【図２８】
0005848990.tif 000029
【図２９】
0005848990.tif 000030